(57)【要約】ローリング現象を抑止して異常音の発生を防止すること等を可能とする振動板及びスピーカー装置を提供する。スピーカー装置は、振動板を有する。振動板は、ボイスコイルを支持するためのボイスコイル支持部と、その一端に連なって形成された放音部とを含む。ボイスコイル支持部は、音響放射方向に対し逆方向に延在した形状を有する。放音部は、音響放射方向に対し略垂直な面を有する段部と、段部の一端からボイスコイル支持部の内側に向かって湾曲した断面湾曲状の湾曲部と、を備える。これにより、ボイスコイルが音響放射方向又はその逆方向へ移動するのに伴って、ボイスコイル支持部の湾曲部の曲率半径を略半径として且つ当該湾曲部の湾曲方向の略中心を基点として、ボイスコイル支持部は円弧を描くように可動する。このため、ローリング現象を生じ難くすることができ、スピーカー装置の駆動時に、ボイスコイル支持部が磁気回路に衝突するのを回避でき、異常音が発生することを防止できる。
2008081503.tif 000002
【特許請求の範囲】
【請求項１】
ボイスコイルを支持するためのボイスコイル支持部と、前記ボイスコイル支持部の一端に連なって形成された放音部と、を備え、
前記ボイスコイル支持部は、音響放射方向に対し逆方向に延在した形状を有し、
前記放音部は、前記音響放射方向に対し略垂直な面を有する段部と、前記段部の一端から前記ボイスコイル支持部の内側に向かって湾曲した断面湾曲状の湾曲部と、を備えることを特徴とする振動板。
【請求項２】
前記放音部は、前記音響放射方向に向かって湾曲した形状を有し、
前記放音部の外周端には、被取付部に取り付けるための取付部が設けられ、
前記放音部の頂部は、前記放音部の中心より外側に配置されていることを特徴とする請求の範囲第１項に記載の振動板。
【請求項３】
前記放音部は長軸及び短軸を含む形状を有し、
前記放音部には、前記長軸又は前記短軸から前記放音部の外周端に向かって補強用リブが形成されていることを特徴とする請求の範囲第１項又は第２項に記載の振動板。
【請求項４】
ボイスコイルを支持するためのボイスコイル支持部と、前記ボイスコイル支持部の一端に連なって形成された放音部と、を備える振動板と、磁気回路と、を備え、
前記磁気回路の中央には、前記ボイスコイル支持部が配置され、
前記ボイスコイル支持部は、音響放射方向に対し逆方向に延在した形状を有し、
前記放音部は、前記音響放射方向に対し略垂直な面を有する段部と、前記段部の一端から前記ボイスコイル支持部の内側に向かって湾曲した断面湾曲状の湾曲部と、を備えることを特徴とするスピーカー装置。
【請求項５】
請求の範囲第４項に記載のスピーカー装置を備えることを特徴とする携帯機器。
【発明の詳細な説明】
【技術分野】
【０００１】
本発明は、携帯機器等に好適に用いることが可能なスピーカー装置における、振動板の構造に関する。
【背景技術】
【０００２】
従来より、長方形の振動板を有し、かかる振動板の中央に直線状のボイスコイルを配置して構成される、リッフェル型のスピーカーが知られている。例えば、特許文献１には、この種の構成を有するスピーカーが記載されている。【０００３】
特許文献１に記載のスピーカーは、平行に且つ磁束方向が逆となる磁気ギャップを設けた上下２つの磁気回路と、これら磁気回路に結合した断面コの字状のフレームと、略中央にてボイスコイルを支持し、且つ外周がフレームによって支持される振動板と、ボイスコイルの下方に配置され、且つ外周がフレームに取り付けられたダンパーと、によって構成されている。かかる構成により、横幅を狭くした細長構造を採用しても、最低共振周波数ｆ０を低くすることができ、音圧周波数特性等を向上できるとされている。【０００４】
【特許文献１】特開平１１−１８７４８４号公報
【発明の開示】
【発明が解決しようとする課題】
【０００５】
上記の特許文献１に記載のスピーカーでは、ボイスコイルが振動板によって支持されているので、音響放射方向に対するボイスコイルの支持力は大きいものと考えられる。一方、ボイスコイルの側面は支持されていないので、音響放射方向と略直交する方向（即ち、磁気ギャップ内における磁束の向き）に対するボイスコイルの支持力はそれ程強くないものと考えられる。このため、このスピーカーの駆動時には、ボイスコイル及び振動板等を含む振動体が前記磁束の向きに沿って横揺れし易くなっている（ローリング現象）。【０００６】
よって、このスピーカーにおいて、そのようなローリング現象が生じた場合には、かかるローリング現象が原因となり、ボイスコイルが磁気回路を構成する磁石やプレート等と衝突し、異常音が発生してしまう、といった課題がある。【０００７】
なお、このスピーカーでは、振動板に対してボイスコイルが接合されている。このため、ボイスコイル、中心（ボイスコイルボビンに相当）と振動板とを振動体としてみた場合には、振動体そのものの剛性が乏しく、また、ボイスコイルを振動板に取り付ける際、振動板を一旦反転させてボイスコイルを振動板に取り付ける必要があり、その取付作業が困難である、といった課題も存在する。【０００８】
本発明が解決しようとする課題としては、上記のようなものが例として挙げられる。本発明は、ローリング現象を抑止して異常音の発生を防止すること、出力音圧レベルの向上を図ること、最低共振周波数ｆ０を下げること、などを可能とする振動板及びそれを用いたスピーカー装置を提供することを課題とする。
【課題を解決するための手段】
【０００９】
請求項１に記載の発明は、振動板であって、ボイスコイルを支持するためのボイスコイル支持部と、前記ボイスコイル支持部の一端に連なって形成された放音部と、を備え、前記ボイスコイル支持部は、音響放射方向に対し逆方向に延在した形状を有し、前記放音部は、前記音響放射方向に対し略垂直な面を有する段部と、前記段部の一端から前記ボイスコイル支持部の内側に向かって湾曲した断面湾曲状の湾曲部と、を備えることを特徴とする。
【図面の簡単な説明】
【００１０】
【図１】本発明の実施例に係るスピーカー装置の正面図。
【図２】本実施例に係るスピーカー装置の断面図。
【図３】本実施例に係る振動板の断面図。
【図４】比較例及び本実施例の振動板の動作を説明するための振動板の断面図。
【図５】本発明のスピーカー装置を用いた各種携帯電話機の平面図及び斜視図。
【符号の説明】
【００１１】
５  振動板
６  ボイスコイル
３０  磁気回路
３１  振動体
７０ａ  第１の磁気ギャップ
７０ｂ  第２の磁気ギャップ
５１  ボイスコイル支持部
５２  放音部
５２ａ  頂部
５２ｃ  段部
５２ｄ  湾曲部
５２ｘ  内周端
５２ｒ  補強用リブ
５３  取付部
１００  スピーカー装置
８００、９００  携帯電話機
【発明を実施するための最良の形態】
【００１２】
本発明の１つの実施形態では、振動板は、ボイスコイルを支持するためのボイスコイル支持部と、前記ボイスコイル支持部の一端に連なって形成された放音部と、を備える。前記ボイスコイル支持部は、音響放射方向に対し逆方向に延在した形状を有する。前記放音部は、前記音響放射方向に対し略垂直な面を有する段部と、前記段部の一端から前記ボイスコイル支持部の内側に向かって湾曲した断面湾曲状の湾曲部と、を備える。【００１３】
上記の振動板は、ボイスコイルを支持するためのボイスコイル支持部と、ボイスコイル支持部の一端に連なって形成された放音部と、を備える。ボイスコイル支持部は、音響放射方向に対し逆方向に延在した形状を有する。【００１４】
特に、振動板では、放音部は、音響放射方向に対し略垂直な面を有する段部と、その段部の一端からボイスコイル支持部の内側に向かって湾曲した断面湾曲状の湾曲部と、を備える。【００１５】
これにより、振動板では、ボイスコイル支持部の可動範囲が段部と湾曲部によって規定される。よって、振動板が振動する時には、湾曲部の湾曲方向の略中心がボイスコイル支持部が動く際の基点となる。また、ボイスコイルが音響放射方向又はその逆方向へ移動するのに伴って、ボイスコイル支持部の湾曲部の曲率半径を略半径として且つ当該湾曲部の湾曲方向の略中心を基点として、ボイスコイル支持部は円弧を描くように可動する。このため、振動板では、ローリング現象が生じたとしても、ボイスコイル支持部の横揺れの幅を極めて小さくすること、当該横揺れしにくくすること、が夫々可能になり、ローリング現象を生じ難くすることができる。その結果、振動板と、磁気回路とを備え、ボイスコイル支持部が磁気回路の中央部に配置される構成を有するスピーカー装置では、その駆動時に、ボイスコイル支持部が磁気回路に衝突するのを回避でき、異常音が発生することを防止できる。【００１６】
上記の振動板の一つの態様では、前記放音部は、前記音響放射方向に向かって湾曲した形状を有し、前記放音部の外周端には、被取付部に取り付けるための取付部が設けられ、前記放音部の頂部は、前記放音部の中心より外側に配置されている。【００１７】
これにより、振動板における有効振動面積（実質的に振動に寄与する放音部の面積）が大きくなり、出力音圧レベルを大きくすることができる。また、振動板のコンプライアンス（振動板のスチフネスの逆数）が大きくなり、最低共振周波数ｆ０を下げることができる。【００１８】
上記の振動板の他の態様では、前記放音部は長軸及び短軸を含む形状を有し、前記放音部には、前記長軸又は前記短軸から前記放音部の外周端に向かって補強用リブが形成されている。好適な例では、補強用リブは、音響放射方向又はその逆方向に窪む形状を有するのが好ましい。【００１９】
これにより、振動板の振動方向（音響放射方向）において、振動板のコンプライアンスが大きくなり、最低共振周波数ｆ０を下げることができる。また、振動板の剛性が大きくなり、ローリング現象の発生を抑止できる。【００２０】
本発明の他の実施形態では、上記のスピーカー装置を備える携帯機器（例えば、携帯電話機など）を構成することができる。
【実施例】
【００２１】
以下、図面を参照して本発明の好適な実施例について説明する。【００２２】
[スピーカー装置の構成]
図１及び図２等を参照して、本発明の実施例に係るスピーカー装置１００の構成について説明する。【００２３】
図１は、本発明の実施例に係るスピーカー装置１００の正面図を示す。図２は、図１の切断線Ａ−Ａ’に沿ったスピーカー装置１００の断面図であり、特にスピーカー装置１００の中心軸Ｌ１を通る位置で切断した断面図を示す。【００２４】
スピーカー装置１００は、携帯機器用スピーカー、或いはマイクロスピーカーとして好適に用いられる。スピーカー装置１００は、主として、一対の第１のプレート１ａ及び１ｂと、一対のマグネット２ａ及び２ｂと、一対の第２のプレート３ａ及び３ｂと、を有する内磁型の磁気回路３０と、振動板５及びボイスコイル６を有する振動体３１と、磁気回路３０及び振動体３１を支持するフレーム４と、を備えて構成される。なお、以下では、各マグネット、及び各第１又は各第２のプレートを区別する場合にはそれぞれマグネット２ａ又は第１のプレート１ａのように表記すると共に、それらを特に区別しない場合には、マグネット２又は第１のプレート１のように表記する。【００２５】
（磁気回路の構成）
磁気回路３０は、一対の第１のプレート１ａ及び１ｂ、一対のマグネット２ａ及び２ｂと、並びに一対の第２のプレート３ａ及び３ｂをその構成部材とし、その構成部材の各構成は次の通りである。【００２６】
一対の第１のプレート１ａ及び１ｂの各々は、略直方体状及び略角型棒状の形状を有し、所定の距離をおいて対向配置されている。第１のプレート１ａと第１のプレート１ｂの間には、第１の磁気ギャップ７０ａが形成されている。第１の磁気ギャップ７０ａ内に生じる磁束の方向は、例えば矢印Ｙ２方向に設定されている。【００２７】
一対のマグネット２ａ及び２ｂの各々は、略直方体状及び略角型棒状の形状を有し、一定の距離をおいて対向した状態で、一対の第１のプレート１ａ及び１ｂの各々の上面に取り付けられている。【００２８】
一対の第２のプレート３ａと３ｂは、略直方体状及び略角型棒状の形状を有している。また、一対の第２のプレート３ａと３ｂは、一定の距離をおいて対向した状態で配置されている。第２のプレート３ａはマグネット２ａの上面に取り付けられ、第２のプレート３ｂはマグネット２ｂの上面に取り付けられている。第２のプレート３ａと第２のプレート３ｂの間には、第２の磁気ギャップ７０ｂが形成されている。第２の磁気ギャップ７０ｂ内に生じる磁束の方向は、第１の磁気ギャップ７０ａ内における磁束の方向と逆向きであり、第２の磁気ギャップ７０ｂと、第１の磁気ギャップ７０ａとに生じる磁力の大きさは相対的にほぼ同一の大きさに設定されている。図２には、磁束の向きとして、第１の磁気ギャップ７０ａ内における磁束の方向が矢印Ｙ２、第２の磁気ギャップ７０ｂ内における磁束の方向が矢印Ｙ３として、例示されている。【００２９】
（振動体の構成）
振動体３１は、振動板５及びボイスコイル６をその構成部材とし、その構成部材の各構成は次の通りである。【００３０】
振動板５は、対向し合う直線部と対向し合う曲線部とを備える外形を有している。また、振動板５は、長軸Ｌ２０及び短軸Ｌ２１で規定される細長の外形を有し、ボイスコイル６を支持するボイスコイル支持部５１と、音波を放射する役割を担う放音部５２と、後述するフレーム４の被取付部４ａに取り付けるための取付部５３と、を備える。【００３１】
ボイスコイル支持部５１は、振動板５の短軸Ｌ２１の方向の中央部に且つ放音部５２の内側に配置されている。ボイスコイル支持部５１は、音響放射方向Ｙ１に対し逆方向に延在した形状を有すると共に、長軸Ｌ２０の方向に延在した細長形状を有する。また、ボイスコイル支持部５１は、袋状又は凹状の断面形状を有する。ボイスコイル支持部５１は、その短軸Ｌ２１の方向に一定幅の間隙を有し、その間隙は略直方体状の空間を形成している。かかる間隙の幅は、磁束密度を大きくするため、できる限り狭い値に設定されているのが好ましく、例えば約０.２ｍｍ程度に設定される。また、ボイスコイル支持部５１は、その長軸Ｌ２０の方向に所定の間隔をおいて、前記間隙幅より大きな間隙幅を有する膨らみ部分５１ａを備える。膨らみ部分５１ａの間隙は略円柱状の空間を形成している。これにより、ボイスコイル支持部５１の剛性を大きくすることができる。放音部５２は、ボイスコイル支持部５１の一端（外周端）に連なって形成され、音響放射方向Ｙ１に向かって湾曲した形状を有する。取付部５３は、放音部５２の外周端に設けられている。以上の基本構成を有する振動板５は、ボイスコイル支持部５１が磁気回路３０の中央部に配置された状態で、且つ取付部５３がフレーム４の被取付部４ａに取り付けられ、フレーム４に支持されている。なお、本発明の実施例に係る振動板５の特徴的な構成については後述する。【００３２】
ボイスコイル６は、一対のプラス及びマイナスのリード線（図示略）を有し、長円状及び環状の平面形状を形成するように巻かれている。また、ボイスコイル６は、互いに平行になるよう配置される、第１の平行部６ａと第２の平行部６ｂとを有する。第１の平行部６ａは一方向に延在し、第２の平行部６ｂは第１の平行部６ａと一定の間隙６ｄを置いて対向するように配置されている。ボイスコイル６は、ボイスコイル支持部５１内に配置され、当該ボイスコイル支持部５１により支持される。そして、第１の平行部６ａは、第１の磁気ギャップ７０ａ内に位置している一方、第２の平行部６ｂは、第２の磁気ギャップ７０ｂ内に位置している。【００３３】
ここで、ボイスコイル６のプラス側のリード線はＬ（又はＲ）チャンネル信号の入力配線であり、マイナス側のリード線はグランド（ＧＮＤ：接地）信号の入力配線である。各リード線は、図示しないアンプ側の各出力配線にも電気的に接続される。このため、ボイスコイル６には、その各リード線を通じてアンプ側から信号及び電力（以下、単に「音声電流」とも称する）が夫々入力される。なお、かかる構成を有するボイスコイル６では音声電流が周回するように流れるため、第１の平行部６ａに流れる音声電流の向きと、第２の平行部６ｂに流れる音声電流の向きとは相対的に逆向きとなる。【００３４】
（フレームの構成）
フレーム４は、細長形状を有すると共に振動体３１の放音部５２を取り囲む形状を有する。好適な例では、フレーム４は、成形加工が容易な樹脂材料にて形成されていることが好ましい。フレーム４は、その上端部に、振動板５の外周部（取付部）５３が取り付けられる被取付部４ａを備える。また、フレーム４は、その中央部に、振動板５のボイスコイル支持部５１を挿入する為の細長形状の開口４ｂを備えている。【００３５】
以上の構成を有するスピーカー装置１００では、アンプ側から出力された音声電流は、ボイスコイル６の一対のプラス及びマイナスのリード線を通じて、当該ボイスコイル６へ入力されてボイスコイル６に音声電流が流される。ボイスコイル６に音声電流が流されることで、第１の磁気ギャップ７０ａ内でボイスコイル６の第１の平行部６ａに電磁気力（ローレンツ力）が作用すると共に、第２の磁気ギャップ７０ｂ内でボイスコイル６の第２の平行部６ｂに電磁気力（ローレンツ力）が作用する。この電磁気力がボイスコイル６の駆動力となり、その駆動力が振動板５に伝わることで、振動板５が音響放射方向Ｙ１又はその逆方向に動き、振動板５の放音部５２から音響放射方向Ｙ１に音波が放射される。【００３６】
[振動板の構成]
次に、図３を参照して、本発明の実施例に係る振動板５の特徴的な構成について詳述する。【００３７】
図３は、図１の切断線Ｂ−Ｂ’に沿った振動板５の断面図であり、短軸Ｌ２１の方向に沿った振動板５の断面図である。【００３８】
振動板５の基本的な構成は上述した通りであり、特に、本実施例では、放音部５２の内周端側が特徴的な形状を有する。【００３９】
具体的には、放音部５２は、その内周端側５２ｘに、音響放射方向Ｙ１に対し略垂直な面を有する段部５２ｃ（破線にて囲まれる部分）と、段部５２ｃの一端（内周端）からボイスコイル支持部５１の内側（中心軸Ｌ２側）に向かって湾曲した断面湾曲状の湾曲部５２ｄ（破線にて囲まれる部分）と、を備える。【００４０】
かかる構成により、本実施例では、後述する比較例と比較して、ローリング現象が生じ難くなっている。この点について、図４を参照して説明する。【００４１】
図４（ａ）は、本実施例に係る振動板５の短軸Ｌ２１の方向に沿った要部断面図であり、特に、スピーカー装置１００の駆動時における振動板５の動きを説明するための説明図である。図４（ｂ）は、図４（ａ）に対応する比較例に係る振動板５ｘの短軸Ｌ２１方向に沿った要部断面図であり、特に、スピーカー装置の駆動時における振動板５ｘの動きを説明するための説明図である。【００４２】
まず、比較例に係る振動板５ｘの構成について簡単に説明する。なお、以下では、本実施例に係る振動板５と同一の要素については同一の符号を付し、その説明は省略する。【００４３】
比較例に係る振動板５ｘは、ボイスコイル６を支持するボイスコイル支持部５１１と、音波を放射する役割を担う放音部５２２と、フレーム４の被取付部４ａに取り付けるための取付部５３（図示略）と、を備える。放音部５２２の内周端５２２ｘ（破線にて囲まれる部分）は、ボイスコイル支持部５１１の内側（中心軸Ｌ２側）に向かって湾曲した断面湾曲形状を有する。以下では、説明の便宜上、放音部５２２の「内周端５２２ｘ」を、放音部５２２の「湾曲部５２２ｘ」と呼称する。【００４４】
ここで、比較例に係る振動板５ｘと、本実施例に係る振動板５とを比較した場合、図４（ａ）及び（ｂ）に示すように、比較例に係る放音部５２２の湾曲部５２２ｘの曲率半径Ｒ２は、本実施例に係る振動板５の湾曲部５２ｄの曲率半径Ｒ１と比べて大きい。さらに、比較例に係る放音部５２２の湾曲部５２２ｘは、本実施例の放音部５２の内周端５２ｘに設けられる段部５２ｃを有しない点で、振動板５の湾曲部５２ｄに対し異なっている。このため、比較例に係る振動板５ｘでは、湾曲部５２２ｘによって、ボイスコイル支持部５１ｘの可動範囲が規定される。【００４５】
このような構成を有する比較例では、図４（ｂ）に示すように、スピーカー装置の駆動時に、ボイスコイル６が音響放射方向Ｙ１又はその逆方向へ移動するのに伴って、放音部５２２の湾曲部５２２ｘの曲率半径Ｒ２を略半径とし、当該湾曲部５２２ｘの湾曲方向Ｙ２０の略中心Ｐ２を基点として、ボイスコイル支持部５１１は円弧Ｌ１１を描くように可動する。【００４６】
ここで、比較例の振動板５ｘは、放音部５２２の湾曲部５２２ｘの曲率半径Ｒ２が大きいことに加え、本実施例の放音部５２の内周端５２ｘ側に設けられる段部５２ｃを有していない。そのため、振動板５ｘが振動する時には、その短軸方向への、ボイスコイル支持部５１１の横揺れの幅Ｌ３０が大きくなってしまう。そのため、比較例の振動板５ｘを備えるスピーカー装置において、そのローリング現象の発生が原因となり、ボイスコイル支持部５１１が磁気回路３０（図示略）と衝突し、異常音が発生してしまう、といった課題がある。【００４７】
これに対して、本実施例では、上述したように、放音部５２は、その内周端５２ｘ側に、音響放射方向Ｙ１に対し略垂直な面を有する段部５２ｃと、段部５２ｃの一端（内周端）からボイスコイル支持部５１の内側に向かって湾曲した断面湾曲状の湾曲部５２ｄと、を備える。【００４８】
これにより、本実施例に係る振動板５では、ボイスコイル支持部５１の可動範囲が段部５２ｃと湾曲部５２ｄによって規定される。よって、本実施例では、図４（ａ）に示すように、スピーカー装置１００の駆動時には、湾曲部５２ｄの湾曲方向Ｙ２１の略中心Ｐ１がボイスコイル支持部５１が動く際の基点となる。つまり、ボイスコイル６が音響放射方向Ｙ１又はその逆方向へ移動するのに伴って、放音部５２の湾曲部５２ｄの曲率半径Ｒ１（＜Ｒ２）を略半径として且つ当該湾曲部５２ｄの湾曲方向Ｙ２１の略中心Ｐ１を基点として、ボイスコイル支持部５１は円弧Ｌ１０を描くように可動する。このため、本実施例では、ローリング現象が生じたとしても、ボイスコイル支持部５１の横揺れの幅を極めて小さくすること、当該横揺れしにくくすること、が夫々可能になり、ローリング現象を生じ難くすることができる。即ち、本実施例では、振動板５の短軸Ｌ２１の方向への、ボイスコイル支持部５１の可動範囲、言い換えれば、ボイスコイル支持部５１の横揺れ幅Ｌ３１（＜比較例に係る横揺れ幅Ｌ３０）が極めて小さくなり、ローリング現象が生じ難くなる。その結果、本実施例では、ボイスコイル支持部５１が磁気回路３０に衝突するのを回避でき、異常音が発生することを防止できる。【００４９】
また、本実施例に係る振動板５では、放音部５２は音響放射方向Ｙ１に向かって湾曲した形状を有している。また、放音部５２の外周端には、フレーム４の被取付部４ａに取り付けるための取付部５３が設けられている。さらに、放音部５２の頂部５２ａは、図３に示すように、放音部５２の中心を通る直線Ｌ５より外側に配置されている。なお、直線Ｌ５は、放音部５２において、ボイスコイル支持部５１の略中心を通る直線（中心軸）Ｌ２と、取付部５３の略中心を通る直線Ｌ３とを結ぶ直線Ｌ４の中心を通る直線である。【００５０】
これにより、振動板５における有効振動面積（実質的に振動に寄与する放音部５２の面積）が大きくなり、出力音圧レベルを大きくすることができる。また、振動板５のコンプライアンス（振動板５のスチフネスの逆数）が大きくなり、最低共振周波数ｆ０を下げることができる。【００５１】
さらに、本実施例に係る振動板５では、放音部５２は長軸Ｌ２０及び短軸Ｌ２１を含む形状を有し、放音部５２には、長軸Ｌ２０又は短軸Ｌ２１から放音部５２の外周端に向かって補強用リブ５２ｒが形成されている。これにより、振動板５の振動方向（音響放射方向Ｙ１）において、振動板５のコンプライアンスが大きくなり、最低共振周波数ｆ０を下げることができる。また、長軸方向Ｌ２０における振動板５の剛性が大きくなり、ローリング現象の発生を抑止できる。【００５２】
なお、好適な例では、補強用リブ５２ｒは、図３に示すように、音響放射方向Ｙ１に対し逆方向（又は音響放射方向Ｙ１）に窪む形状を有する。また、短軸Ｌ２１の方向に設けられた補強用リブ５２ｒは、長軸Ｌ２０に対して対称的な形状を有すると共に、長軸Ｌ２０の方向に対して斜め方向に延在する形状を有する。また、長軸Ｌ２０の方向に設けられた補強用リブ５２ｒは、短軸Ｌ２１に対して対称的な形状を有する。また、長軸Ｌ２０の方向に設けられた複数の補強用リブ５２ｒのうち、少なくとも１つの補強用リブ５２ｒは、長軸Ｌ２０に対して対称的な形状を有すると共に、長軸Ｌ２０の方向に対して斜め方向に延在する形状を有する。なお、本発明では、補強用リブ５２ｒの形状や、放音部５２における補強用リブ５２ｒの設定数などについて特に限定はしない。【００５３】
[携帯電話機への適用例]
次に、本発明の実施例に係るスピーカー装置１００を、携帯電話機内の受信部及着信部に適用した例について説明する。【００５４】
図５（ａ）は、この携帯電話機８００の構成を示す概略平面図である。同図に例示の携帯電話機８００は、ケース８００ｇの表側に設けられた、複数の操作ボタン８００ａと、画像を表示するための表示部８００ｂと、受話口８００ｃ及び送話口８００ｄと、ケース８００ｇの裏側に設けられ、着信アラーム音を鳴らす機能を有する着信部８００ｅと、ケース８００ｇの一側面に設けられた送受信アンテナ８００ｆと、を備えて構成される。以上の構成を有する携帯電話機８００では、スピーカー装置１００がケース８００ｇ内に搭載され、例えば受話口８００ｃ及び着信部８００ｅに対応する位置に各々設けられる。【００５５】
また、本発明では、図５（ｂ）に示されるような、携帯電話機９００の側面側にスピーカー装置１００を設けることも可能である。【００５６】
なお、本発明では、このような携帯電話機以外にも、各種の携帯機器に対して本発明の実施例に係るスピーカー装置１００を好適に用いることができる。
【産業上の利用可能性】
【００５７】
本発明は、携帯機器用スピーカー又は電子機器などに搭載されるマイクロスピーカーとして利用することができる。
【図１】
2008081503.tif 000003
【図２】
2008081503.tif 000004
【図３】
2008081503.tif 000005
【図４】
2008081503.tif 000006
【図５】
2008081503.tif 000007
【国際調査報告】
2008081503.tif 000008
2008081503.tif 000009